(57)【要約】【課題】測定対象体の向きや位置に拘わらず表示部を良好に目視し得る測定装置を提供する。【解決手段】クランプ式センサ１１が配設された第１本体部２と、第１本体部２に回動自在に連結されると共に表示部２１が配設された第２本体部４とを備えている。この場合、第２本体部４は、任意の回動位置に維持可能なヒンジ部３を介して第１本体部２に連結されている。また、表示部２１は、折り畳んだ状態において第１本体部２と対向する側の第２本体部の一面４ａに配設されている。【選択図】図３
2007199018.tif 000002
【特許請求の範囲】
【請求項１】
測定対象体をクランプ可能なクランプ式センサが配設された第１本体部と、
当該第１本体部に回動自在に連結されると共に表示部が配設された第２本体部とを備えている測定装置。
【請求項２】
前記第２本体部は、任意の回動位置に維持可能なヒンジ部を介して前記第１本体部に連結されている請求項１記載の測定装置。
【請求項３】
前記第１本体部と前記第２本体部とが折り畳み可能に構成されている請求項１または２記載の測定装置。
【請求項４】
前記表示部は、前記折り畳んだ状態において前記第１本体部と対向する側の前記第２本体部の一面に配設されている請求項３記載の測定装置。
【請求項５】
操作部を備え、当該操作部は前記第２本体部に配設されている請求項１から４のいずれかに記載の測定装置。
【請求項６】
前記操作部は、前記第２本体部の前記一面に配設されている請求項５記載の測定装置。
【発明の詳細な説明】
【技術分野】
【０００１】
本発明は、測定対象体の温度および電流等の電気的特性の少なくとも１つを測定する測定装置に関するものである。
【背景技術】
【０００２】
この種の測定装置として、出願人は、クランプ式電流計を特開平１１−２９５３４９号公報に開示している。この電流計は、測定値をディジタル表示するための液晶表示部（以下、表示部ともいう）、操作ボタン、操作ダイヤルおよび開閉レバーが配設された計器本体と、開閉レバーに対する操作に応じて開閉自在に計器本体に取り付けられると共に閉状態に移行したときに略円環の形状を維持するクランプセンサとを備えて構成されている。この電流計は、測定に際しては、クランプセンサで例えばケーブルなどの測定対象体をクランプして（言い換えれば、略円環の形状を維持した状態のクランプセンサ内に測定対象体を挿通させた状態で）測定対象体に取り付けられる。
【特許文献１】特開平１１−２９５３４９号公報（第３−４頁、第１図）
【発明の開示】
【発明が解決しようとする課題】
【０００３】
ところが、上記測定装置には、以下の改善すべき課題がある。すなわち、この測定装置では、表示部が配設されている計器本体にクランプセンサが直接取り付けられている。このため、この測定装置には、測定対象体をクランプセンサでクランプして測定装置を測定対象体に取り付けた際に、測定対象体の向きや位置によっては、計器本体に配設された表示部が目視しにくい位置に位置して測定作業が行いにくくなるおそれがあり、これを改善するのが好ましい。
【０００４】
本発明は、かかる改善すべき課題に鑑みてなされたものであり、測定対象体の向きや位置に拘わらず表示部を良好に目視し得る測定装置を提供することを主目的とする。
【課題を解決するための手段】
【０００５】
上記目的を達成すべく請求項１記載の測定装置は、測定対象体をクランプ可能なクランプ式センサが配設された第１本体部と、当該第１本体部に回動自在に連結されると共に表示部が配設された第２本体部とを備えている。
【０００６】
また、請求項２記載の測定装置は、請求項１記載の測定装置において、前記第２本体部は、任意の回動位置に維持可能なヒンジ部を介して前記第１本体部に連結されている。
【０００７】
また、請求項３記載の測定装置は、請求項１または２記載の測定装置において、前記第１本体部と前記第２本体部とが折り畳み可能に構成されている。
【０００８】
また、請求項４記載の測定装置は、請求項３記載の測定装置において、前記表示部は、前記折り畳んだ状態において前記第１本体部と対向する側の前記第２本体部の一面に配設されている。
【０００９】
また、請求項５記載の測定装置は、請求項１から４のいずれかに記載の測定装置において、操作部を備え、当該操作部は前記第２本体部に配設されている。
【００１０】
また、請求項６記載の測定装置は、請求項５記載の測定装置において、前記操作部は、前記第２本体部の前記一面に配設されている。
【発明の効果】
【００１１】
請求項１記載の測定装置によれば、測定対象体をクランプ可能なクランプ式センサが配設された第１本体部に対して表示部が配設された第２本体部を回動自在に連結したことにより、第２本体部を回動させることで、クランプ式センサでクランプした測定対象体の向きや位置に拘わらず、表示部を良好に目視し易い位置に向けることができる。この結果、測定装置によれば、測定作業の作業性を十分に向上させることができる。また、クランプ式センサでは、クランプ状態のときに（閉じたときに）相互が接合する一対の突き合わせ端面を有して構成されるのが一般的であるが、各突き合わせ端面はセンサに大きな外力が加わった際に離反し易いため、測定精度の低下の要因になる。また、このような外力は、測定対象体をクランプ式センサでクランプした状態で表示部を目視し易い向きに向けようとする際に発生することが多いが、この測定装置によれば、上記したように、センサが配設された第１本体部に対して表示部が配設された第２本体部を回動自在に連結したことにより、第２本体部を回動させることで、センサに不要な外力を加えることなく、表示部を常に目視し易い位置に向けることができる。したがって、センサの一対の突き合わせ端面を常に良好に接合させた状態に維持することができる結果、測定精度を低下させることなく、測定作業を行うことができる。
【００１２】
請求項２記載の測定装置によれば、任意の回動位置（第１本体部に対する回動位置）に維持可能なヒンジ部を介して第１本体部に第２本体部を連結したことにより、表示部を目視し易い位置に向けた状態において、第２本体部を手で保持している必要がなくなる結果、両手を自由に使用して測定結果をメモすることができるなど、測定作業の作業性を一層向上させることができる。
【００１３】
請求項３記載の測定装置によれば、第１本体部と第２本体部とを折り畳み可能に構成したことにより、非測定時における測定装置を小形化することができるため、良好な携帯性を確保することができる。
【００１４】
請求項４記載の測定装置によれば、折り畳んだ状態において第１本体部と対向する側の第２本体部の一面に表示部を配設したことにより、携帯時において表示部を保護することができる。
【００１５】
請求項５記載の測定装置によれば、操作部を第２本体部に配設したことにより、第２本体部を回動させることで、測定対象体の向きや位置に拘わらず、操作部を常に操作し易い位置に向けることができる結果、測定作業の作業性を一層向上させることができる。
【００１６】
請求項６記載の測定装置によれば、第２本体部の一面に操作部を配設したことにより、測定対象体の向きや位置に拘わらず、表示部に対する良好な視認性と操作部に対する良好な操作性とを確保することができる。また、折り畳んだ状態において第１本体部と対向する第２本体部の一面に表示部および操作部の双方を配設することで、携帯時などにおいて表示部と操作部の双方を保護することもできる。
【発明を実施するための最良の形態】
【００１７】
以下、本発明に係る測定装置の最良の形態について、添付図面を参照して説明する。なお、測定装置の一例として、クランプ式センサを備えた電流計について説明する。
【００１８】
最初に、電流計１の構成について、図面を参照して説明する。
【００１９】
電流計１は、図１に示すように、第１本体部２、ヒンジ部３および第２本体部４を備えて、測定対象体５に流れる電流を測定可能に構成されている。第１本体部２は、外形がほぼ直方体に形成されている。また、第１本体部２には、一つの側面（一例として図１中の上面）にクランプ式センサ（センサ部）１１が一体的となるように配設され、他の側面（一例として図１中の左側面）に開閉レバー１２が一体的となるように配設されている。なお、本明細書において、「センサ１１が第１本体部２に一体的に配設されている」とは、センサ１１が第１本体部２に対して、ケーブルなどの可撓性のある部材を介して取り付けられているのではなく、相互の位置関係が変更不能な状態で連結されていることを意味する。また、第１本体部２には、開閉レバー１２に対する操作に連動してセンサ１１を開閉させる開閉機構（図示せず）が内蔵されている。
【００２０】
センサ１１は、弧状の外形を有して基端側（同図中の下端側）が第１本体部２の一側面（一例として同図中では上面）に回動自在に取り付けられた第１カバー部１３と、弧状の外形を有して基端側（同図中の下端側）が第１本体部２の一側面（第１カバー部１３と同じ取付け面。つまり上面）に回動自在に取り付けられた第２カバー部１４と、各カバー部１３，１４内に配設された電流検出用の一対のコイル部（図示せず）と、測定対象体５を流れる電流によってこのコイル部に誘起される電圧を増幅して検出信号Ｓ１（図４参照）として出力する増幅部（図示せず）とを備えて構成されている。この場合、カバー部１３，１４は、開閉レバー１２に対する操作に連動して作動する開閉機構によって各基端側が駆動されることにより、各基端側を中心として同一平面内で回動して、それぞれの自由端側（同図中の上端側）が接合する状態（センサ１１が閉状態）と、それぞれの自由端側（同図中の上端側）が離間する状態（センサ１１が開状態）との間で互いに移行可能に構成されている。また、カバー部１３，１４は、それぞれの自由端側（同図中の上端側）が接合した状態のとき（センサ１１が閉状態のとき）には、図１に示すように、ほぼ円環の形状を維持する。これにより、センサ１１は、測定対象体（本例では電流線路）をクランプ可能に構成されている。また、センサ１１は、測定対象体５に流れる電流の値に応じた電圧値の検出信号Ｓ１を出力する。
【００２１】
ヒンジ部３は、図１に示すように、第１本体部２におけるセンサ１１の取付け面（図１中の上面）と反対側の面（同図中の下面）と、後述するような直方体に形成された第２本体部４の一側面（図１中の上面）との間に配設されて、第１本体部２に対して第２本体部４を回動自在に連結する。具体的には、ヒンジ部３は、一例として公知のフリクション機構を備えた公知の１軸ヒンジ機構（図示せず）を用いて構成されて、図１，２，３に示す軸Ｌ１を中心として第１本体部２に対して第２本体部４を回動自在に連結する。この場合、ヒンジ部３の機能により、第２本体部４は、第１本体部２上に折り畳まれた折り畳み位置（図２に示す位置）から、全開位置（少なくとも１８０度を超える角度で回動した位置。本例では一例として図３に示すように約２４０度）まで回動可能に構成されている。なお、最大の回動角度は、２４０度に限定されず、例えば３６０度の近傍まで回動可能に規定することもできる。また、ヒンジ部３は、そのフリクション機能により、折り畳み位置と全開位置との間の任意の回動位置で第２本体部４を維持（停止）可能に構成されている。
【００２２】
第２本体部４は、図１に示すように、全長が第１本体部２およびセンサ１１の合計長とほぼ同じ長さで、かつ幅が第１本体部２の幅とほぼ同じ長さに規定された直方体に形成されている。また、第２本体部４における折り畳まれたときに第１本体部２と対向する一面４ａには、表示部２１と操作部２２とが配設されている。また、第２本体部４の内部には、図４に示すように、Ａ／Ｄ変換部２３、制御部２４および電源部（図示せず）が配設されている。この場合、電源部は、例えば電池で構成されて、電流計１の各構成要素に作動用の電力を供給する。
【００２３】
また、表示部２１は、一例としてＬＣＤ（Ｌｉｑｕｉｄ  Ｃｒｙｓｔａｌ  Ｄｉｓｐｌａｙ）で構成されて、制御部２４の制御下で、測定された電流の電流値やこの電流値の最大値などを表示可能に構成されている。また、表示部２１は、表示されている文字や数字等の視認性を高めるためにバックライト（図示せず）を備えている。この場合、バックライトは、制御部２４によってＯＮ／ＯＦＦ制御される。操作部２２は、一例として、ＨＯＬＤキー、ＭＡＸキー、およびバックライトＯＮ／ＯＦＦキーなどを備えている。また、操作部２２は、操作されたキーを示すキーデータＤ２を制御部２４に出力する。
【００２４】
また、Ａ／Ｄ変換部２３は、検出信号Ｓ１をＡ／Ｄ変換することにより、測定対象体５に流れる電流の値に応じた値の電流データＤ３を制御部２４に出力する。制御部２４は、ＣＰＵと、ＣＰＵ用の動作プログラムが記憶されているＲＯＭ、およびワーキングメモリなどに使用されるＲＡＭで構成された内部メモリ（いずれも図示せず）を備えている。また、制御部２４は、電流データＤ３に基づいて測定対象体５に流れる電流の電流値やその最大値などを算出する電流値算出処理を実行すると共に、表示用データＤ１を出力することで、算出した電流値などを表示部２１に表示させる表示処理を実行する。
【００２５】
次に、電流計１を用いた測定対象体５の電流の測定方法について、図面を参照して説明する。
【００２６】
まず、電流計１を測定対象体５が配置されている場所に持ち運ぶ。この場合、持ち運びのときのように、測定に使用しないときには、図２に示すように、電流計１を折り畳んで持ち運ぶことができる。電流計１は、上記したように、第２本体部４の全長が第１本体部２およびセンサ１１の合計長とほぼ同じ長さに規定され、かつ第２本体部４の幅が第１本体部２の幅とほぼ同じ長さに規定されているため、折り畳んだ状態では、図１，３に示すような第１本体部２と第２本体部４を開いた状態のときと比較して、幅は同じであるものの、長さは約半分程度になる。このように折り畳んだ状態において外形を非常に小形化することができるため、電流計１は、優れた携帯性を備えている。また、第２本体部４における表示部２１および操作部２２が配設されている一面４ａ上に第１本体部２が折り畳まれるため、携帯時において、操作部２２に対する誤操作や、表示部２１の傷付きが有効に防止される。
【００２７】
次に、図３に示すように、電流計１を測定対象体５（例えば電流を測定したいケーブル）に装着する。この際には、開閉レバー１２を操作することにより、各カバー部１３，１４の自由端側を離反させてセンサ１１を開き、各カバー部１３，１４間に測定対象体５を収容した後に、各カバー部１３，１４の自由端側を接合させる。これにより、センサ１１による測定対象体５のクランプが完了する。また、第１本体部２に対して第２本体部４を回動させることにより、第２本体部４を測定し易い位置に移動させる。具体的には、表示部２１の表示内容の確認、および操作部２２に対する操作を容易とすべく、第２本体部４における表示部２１等の配置されている一面４ａが作業者の正面に向くように第２本体部４を移動させる。
【００２８】
このクランプ状態において、センサ１１は、測定対象体５に流れる電流の値に応じた電圧値の検出信号Ｓ１を出力する。次いで、Ａ／Ｄ変換部２３が、この検出信号Ｓ１をＡ／Ｄ変換して電流データＤ３を制御部２４に出力する。制御部２４は、電流データＤ３に基づいて電流値算出処理を実行して測定対象体５の電流値を算出して内部メモリに順次記憶すると共に、表示用データＤ１を出力して表示処理を実行することにより、電流値算出処理において算出した測定対象体５の電流値を表示部２１に更新表示させる。また、制御部２４は、電流値算出処理において電流値の最大値を算出して内部メモリに更新記憶する。制御部２４は、この電流値算出処理および表示処理を繰り返し実行する。これにより、表示部２１には、測定対象体５の電流の値がリアルタイムに表示されるため、表示部２１の表示内容を目視することで、測定対象体５を流れる電流についての電流値測定が可能となる。
【００２９】
また、制御部２４は、この電流値算出処理および表示処理の実行中に、操作部２２からＨＯＬＤキーを示すキーデータＤ２を入力したときには、表示部２１に対する電流値の更新表示を停止する。これにより、表示部２１には、ＨＯＬＤキーを操作したときに表示されていた電流値がそのまま表示され続ける。このため、表示部２１を見ながら測定対象体５を流れる電流の電流値（測定値）を書き写す等の処理を容易に行うことができる。なお、制御部２４は、操作部２２からＨＯＬＤキーを示すキーデータＤ２を再度入力したときには、表示部２１に対する電流値の更新表示を再開する。これにより、表示部２１には、測定対象体５の最新の電流の値が再度表示され始める。
【００３０】
また、制御部２４は、操作部２２からＭＡＸキーを示すキーデータＤ２を入力したときには、内部メモリから最大値を読み出して表示部２１に表示させる。これにより、現時点までに測定対象体５を流れる電流の最大値が表示部２１に表示されるため、電流の最大値を測定することができる。また、制御部２４は、操作部２２からバックライトＯＮ／ＯＦＦキーを示すキーデータＤ２を入力したときには、表示部２１のバックライトを点灯させる。これにより、ＬＣＤで構成された表示部２１の表示内容を暗所でも容易に確認することができる。
【００３１】
このように、この電流計１によれば、測定対象体５に取り付けられるセンサ１１が配設された第１本体部２に対して表示部２１が配設された第２本体部４を回動自在に連結したことにより、第２本体部４を回動させることで、測定対象体５の向きや位置に拘わらず、表示部２１を良好に目視し易い位置に向けることができる。この結果、この電流計１によれば、測定作業の作業性を十分に向上させることができる。また、任意の回動位置（第１本体部２に対する回動位置）に維持可能なヒンジ部３を介して第１本体部２に第２本体部４を連結したことにより、表示部２１を目視し易い位置に向けた状態において、第２本体部４を手で保持している必要がなくなる結果、両手を自由に使用して測定結果を書き写すことができるなど、測定作業の作業性を一層向上させることができる。
【００３２】
また、この電流計１では、測定対象体５をクランプ可能なクランプ式のセンサ（クランプセンサ）１１を第１本体部２に一体的に配設している。この場合、この種のセンサ１１では、各カバー部１３，１４を閉じたときに各カバー部１３，１４内の一対のコイル部の各突き合わせ端面が相互が接合（接触）するように構成されているが、一対のコイル部の各突き合わせ端面はセンサ１１（各カバー部１３，１４）に大きな外力が加わった際に離反し易いため、測定精度の低下の要因になる。また、このような外力は、測定対象体５をセンサ１１でクランプした状態で第１本体部２を捻るなどした際に発生することが多いが、この電流計１によれば、上記したように、センサ１１が配設された第１本体部２に対して表示部２１が配設された第２本体部４をヒンジ部３を介して回動自在に連結したことにより、第２本体部４を回動させることで、第１本体部２すなわちセンサ１１に不要な外力を加えることなく、表示部２１を常に目視し易い位置に向けることができる。したがって、センサ１１における一対のコイル部の一対の突き合わせ端面を常に良好に接合させた状態に維持することができる結果、測定精度を低下させることなく、測定作業を行うことができる。
【００３３】
また、この電流計１によれば、第１本体部２と第２本体部４とを折り畳み可能に構成したことにより、非測定時における電流計１を小形化することができるため、良好な携帯性を確保することができる。また、折り畳んだ状態において第１本体部２と対向する側の第２本体部４の一面４ａに表示部２１を配設したことにより、携帯時において表示部２１を傷付きなどから保護することができる。
【００３４】
また、この電流計１によれば、第２本体部４の一面４ａに操作部２２を配設したことにより、第２本体部４を回動させることで、測定対象体５の向きや位置に拘わらず、表示部２１に対する良好な視認性と操作部２２に対する良好な操作性の双方を同時に確保することができる。また、折り畳んだ状態において第１本体部２に対向する第２本体部４の一面４ａに表示部２１および操作部２２の双方を配設したことにより、携帯時などにおいて表示部２１および操作部２２の双方を同時に保護することもできる。
【００３５】
なお、本発明は、上記の構成に限定されない。例えば、上記の電流計１では、第２本体部４の一面４ａに表示部２１および操作部２２を配設する構成を採用しているが、操作部２２を表示部２１とは異なる面に配設する構成を採用することもできる。具体的には、表示部２１に表示されている測定対象体５を流れる電流の電流値の変化を主として測定し、かつ測定中において操作部２２に対する操作が少ない状況下で使用される電流計１については、第２本体部４における表示部２１を配設した一面４ａの背面に操作部２２を配設することもできる。また、Ａ／Ｄ変換部２３を第２本体部４内に配設しているが、第１本体部２内に配設することもできる。
【００３６】
また、上記の電流計１では、１軸ヒンジ機構を用いてヒンジ部３を構成しているが、公知の２軸ヒンジ機構を用いてヒンジ部３を構成することもできる。これにより、図３に示すように、軸Ｌ１だけでなく、軸Ｌ１と直交する軸Ｌ２を中心として、第１本体部２に対して第２本体部４を回動させることができる結果、表示部２１に対する視認性を一層向上させることができる。また、第２本体部４において、表示部２１を配設した一面４ａの背面に操作部２２を設けたとしても、操作部２２に対する操作性を向上させることができる。
【００３７】
また、上記の電流計１では、携帯性や保管性等を考慮して、第１本体部２と第２本体部４とを折り畳める構成を採用しているが、第２本体部４の表示部２１の視認性を確保することのみを目的とする場合には、例えば、第１本体部２と第２本体部４とが同一平面上に位置する状態から、第２本体部４を±９０度程度回動できる構成を採用することもできる。また、上記の電流計１では、電源の投入機構についての説明を省略したが、公知の構成を採用することができる。例えば、操作部２２に電源スイッチを配置して、この電源スイッチを操作することにより、電池から各構成要素への電力供給を制御する構成を採用することもできるし、折り畳み状態においてオフ状態に移行し、かつ非折り畳み状態（開いた状態）においてオン状態に移行するスイッチを配置して、開いたときに自動的に電源が投入される構成を採用することもできる。
【００３８】
また、本発明を電流計１に適用した例について上記したが、電流計以外に、測定時において表示部の向きが制限されてその表示部の視認性が低下する可能性のある測定装置である限り、電圧計や電力計等の種々の電気的特性を測定する測定装置に適用できるのは勿論であるし、電気的特性の測定装置以外の測定装置（例えば、温度計）にも適用することができる。
【図面の簡単な説明】
【００３９】
【図１】電流計１を開いた状態（第１本体部２に対して第２本体部４を約１８０度回動させた状態）の正面図である。
【図２】電流計１を折り畳んだ状態の斜視図である。
【図３】電流計１を測定対象体５に取り付けた状態において、第１本体部２に対して第２本体部４を約２４０度回動させた状態の斜視図である。
【図４】電流計１の構成を示すブロック図である。
【符号の説明】
【００４０】
１  電流計
２  第１本体部
３  ヒンジ部
４  第２本体部
４ａ  一面
５  測定対象体
１１  センサ
２１  表示部
２２  操作部
【図１】
2007199018.tif 000003
【図２】
2007199018.tif 000004
【図３】
2007199018.tif 000005
【図４】
2007199018.tif 000006